(57)【要約】【課題】車室内に放熱器として作用可能な複数の熱交換器を設けて高い暖房能力を得る場合に、暖房の立ち上がりを速くして乗員の快適性を向上させる。【解決手段】空調制御装置は、ヒートポンプ装置の高圧側の冷媒温度が所定の低温度以下であるか否かを推定し、所定の低温度以下であると推定される場合に流路切替装置を暖房立ち上げモードとする一方、所定の低温度よりも高いと推定される場合に流路切替装置を通常暖房モードとするように構成されている。【選択図】図１１
2014024369.tif 000002
【特許請求の範囲】
【請求項１】
冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び上記第２車室内熱交換器を収容するとともに、該第１車室内熱交換器及び該第２車室内熱交換器に空調用空気を送風する送風機を有し、調和空気を生成して車室に供給するように構成された車室内空調ユニットとを備えた車両用空調装置であって、
上記第１車室内熱交換器からの冷媒が流入する冷媒入口部と、上記第２車室内熱交換器に接続されて上記冷媒入口部に流入した冷媒を該第２車室内熱交換器に流入させる通常暖房用冷媒出口部と、上記冷媒入口部に流入した冷媒を、該第２車室内熱交換器をバイパスして流す暖房立ち上げ用冷媒出口部とを有するとともに、上記冷媒入口部に流入した冷媒を上記通常暖房用冷媒出口部に流す通常暖房モードと、上記冷媒入口部に流入した冷媒を上記暖房立ち上げ用冷媒出口部に流す暖房立ち上げモードとに切り替えるように構成された流路切替装置と、
上記流路切替装置を制御する空調制御装置とを備え、
上記空調制御装置は、暖房開始時には上記流路切替装置を上記暖房立ち上げモードとし、その後、上記通常暖房モードとするように構成されていることを特徴とする車両用空調装置。
【請求項２】
冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び上記第２車室内熱交換器を収容するとともに、該第１車室内熱交換器及び該第２車室内熱交換器に空調用空気を送風する送風機を有し、調和空気を生成して車室に供給するように構成された車室内空調ユニットとを備えた車両用空調装置であって、
上記第１車室内熱交換器からの冷媒が流入する冷媒入口部と、上記第２車室内熱交換器に接続されて上記冷媒入口部に流入した冷媒を該第２車室内熱交換器に流入させる通常暖房用冷媒出口部と、上記冷媒入口部に流入した冷媒を、該第２車室内熱交換器をバイパスして流す暖房立ち上げ用冷媒出口部とを有するとともに、上記冷媒入口部に流入した冷媒を上記通常暖房用冷媒出口部に流す通常暖房モードと、上記冷媒入口部に流入した冷媒を上記暖房立ち上げ用冷媒出口部に流す暖房立ち上げモードとに切り替えるように構成された流路切替装置と、
上記流路切替装置を制御する空調制御装置とを備え、
上記空調制御装置は、上記ヒートポンプ装置の高圧側の冷媒温度が所定の低温度以下であるか否かを推定し、所定の低温度以下であると推定される場合に上記流路切替装置を上記暖房立ち上げモードとする一方、所定の低温度よりも高いと推定される場合に上記流路切替装置を上記通常暖房モードとするように構成されていることを特徴とする車両用空調装置。
【請求項３】
請求項１または２に記載の車両用空調装置において、
上記流路切替装置は、上記冷媒入口部に流入した冷媒を上記通常暖房用冷媒出口部及び上記暖房立ち上げ用冷媒出口部に流す中間モードにも切り替えられるように構成され、
上記空調制御装置は、上記流路切替装置を、上記暖房立ち上げモードから上記通常暖房モードに切り替える前に、上記暖房立ち上げモードから上記中間モードに切り替え、その後、上記中間モードから上記通常暖房モードに切り替えるように構成されていることを特徴とする車両用空調装置。
【請求項４】
請求項３に記載の車両用空調装置において、
上記第１車室内熱交換器を通過した外部空気の温度を検出する第１温度センサを備え、
上記空調制御装置は、上記第１温度センサにより検出された温度の変化が所定範囲内となるように、上記第２車室内熱交換器の冷媒流通量を制御するように構成されていることを特徴とする車両用空調装置。
【請求項５】
請求項３に記載の車両用空調装置において、
上記第１車室内熱交換器を流通する冷媒の圧力を検出する第１圧力センサを備え、
上記空調制御装置は、上記第１圧力センサにより検出された圧力の変化が所定範囲内となるように、上記第２車室内熱交換器の冷媒流通量を制御するように構成されていることを特徴とする車両用空調装置。
【請求項６】
請求項３に記載の車両用空調装置において、
車室内へ吹き出す調和空気の温度を検出する吹出空気温度センサを備え、
上記空調制御装置は、上記吹出空気温度センサにより検出された温度の変化が所定範囲内となるように、上記第２車室内熱交換器の冷媒流通量を制御するように構成されていることを特徴とする車両用空調装置。
【請求項７】
請求項３に記載の車両用空調装置において、
上記第２車室内熱交換器を通過した外部空気の温度を検出する第２温度センサを備え、
上記空調制御装置は、上記第２温度センサにより検出された温度が所定温度以上であるか否かを判定し、所定温度以上であると判定した場合に、上記中間モードにある上記流路切替装置を上記通常暖房モードに切り替えるように構成されていることを特徴とする車両用空調装置。
【請求項８】
請求項３に記載の車両用空調装置において、
上記第２車室内熱交換器を流通する冷媒の圧力を検出する第２圧力センサを備え、
上記空調制御装置は、上記第２圧力センサにより検出された圧力が所定圧力以上であるか否かを判定し、所定圧力以上であると判定した場合に、上記中間モードにある上記流路切替装置を上記通常暖房モードに切り替えるように構成されていることを特徴とする車両用空調装置。
【請求項９】
請求項３に記載の車両用空調装置において、
車室内へ吹き出す調和空気の温度を検出する吹出空気温度センサを備え、
上記空調制御装置は、上記吹出空気温度センサにより検出された吹出空気温度が所定温度以上であるか否かを判定し、所定温度以上であると判定した場合に、上記中間モードにある上記流路切替装置を上記通常暖房モードに切り替えるように構成されていることを特徴とする車両用空調装置。
【発明の詳細な説明】
【技術分野】
【０００１】
本発明は、車両に搭載される車両用空調装置に関するものである。
【背景技術】
【０００２】
従来から、例えば、ハイブリッド車や電気自動車等に搭載される空調装置として、ヒートポンプ装置を備えた空調装置が知られている。これら車両用のヒートポンプ装置は、電動コンプレッサと、車室外に配設される車室外熱交換器と、膨張弁と、車室内に配設される車室内熱交換器とを冷媒配管によって順に接続して構成されている。
【０００３】
例えば、特許文献１の車両用空調装置は、車室内熱交換器として、空気流れ方向上流側に配設される上流側車室内熱交換器と、下流側に配設される下流側車室内熱交換器とを備えている。下流側車室内熱交換器は、暖房運転モード及び冷房運転モードの両モードで放熱器として作用する。また、上流側車室内熱交換器は、暖房運転モード及び冷房運転モードの両モードで吸熱器として作用する。
【０００４】
暖房運転モードでは、特に低外気時に強い暖房が要求されるが、特許文献１のように暖房運転モードで上流側車室内熱交換器を吸熱器として作用させると暖房能力が不十分になることが考えられる。
【０００５】
そこで、例えば特許文献２に開示されているように、暖房運転モードで上流側車室内熱交換器も放熱器として作用させることが考えられる。すなわち、コンプレッサから吐出した冷媒を下流側車室内熱交換器に流した後、上流側車室内熱交換器に流すように冷媒配管を接続する。これにより、上流側車室内熱交換器によって加熱した空気を下流側車室内熱交換器で再加熱することができるので、暖房能力を向上させることが可能になるという利点がある。一方、冷房運転モードでは、減圧後の冷媒を上流側車室内熱交換器に供給することによって上流側車室内熱交換器を吸熱器として作用させるようにしているので、冷房も行うことができる。
【先行技術文献】
【特許文献】
【０００６】
【特許文献１】特開平９−２４０２６６号公報
【特許文献２】特開２０１１−２５５７３５号公報
【発明の概要】
【発明が解決しようとする課題】
【０００７】
空調が必要な場面は様々あり、例えば、冬季のように外気温度が低く、かつ、長時間放置されてヒートポンプ装置の高圧側の冷媒が外気温度近傍となるまで冷えている状況で車両の暖房を開始する場合がある。
【０００８】
ところが、暖房時、特許文献２の空調装置では、上流側車室内熱交換器及び下流側車室内熱交換器の両方に冷媒を流すようにしてヒートポンプ装置内の冷媒通路総容積が大きくなっている。このため、暖房立ち上げ時に冷媒の圧力及び温度が上昇しにくい場合がある。その結果、暖房の立ち上がりが遅くなって車室に温風を供給するまでに要する時間が長時間化してしまい、乗員の快適性が損なわれるという問題がある。
【０００９】
本発明は、かかる点に鑑みてなされたものであり、その目的とするところは、車室内に放熱器として作用可能な複数の熱交換器を設けて高い暖房能力を得る場合に、暖房の立ち上がりを速くして乗員の快適性を向上させることにある。
【課題を解決するための手段】
【００１０】
上記目的を達成するために、本発明では、暖房立ち上げ時には、暖房立ち上げ時にヒートポンプ装置内の高圧側の冷媒通路総容積が小さくなるようにした。
【００１１】
第１の発明は、冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び上記第２車室内熱交換器を収容するとともに、該第１車室内熱交換器及び該第２車室内熱交換器に空調用空気を送風する送風機を有し、調和空気を生成して車室に供給するように構成された車室内空調ユニットとを備えた車両用空調装置であって、
上記第１車室内熱交換器からの冷媒が流入する冷媒入口部と、上記第２車室内熱交換器に接続されて上記冷媒入口部に流入した冷媒を該第２車室内熱交換器に流入させる通常暖房用冷媒出口部と、上記冷媒入口部に流入した冷媒を、該第２車室内熱交換器をバイパスして流す暖房立ち上げ用冷媒出口部とを有するとともに、上記冷媒入口部に流入した冷媒を上記通常暖房用冷媒出口部に流す通常暖房モードと、上記冷媒入口部に流入した冷媒を上記暖房立ち上げ用冷媒出口部に流す暖房立ち上げモードとに切り替えるように構成された流路切替装置と、
上記流路切替装置を制御する空調制御装置とを備え、
上記空調制御装置は、暖房開始時には上記流路切替装置を上記暖房立ち上げモードとし、その後、上記通常暖房モードとするように構成されていることを特徴とするものである。
【００１２】
この構成によれば、暖房開始時に暖房立ち上げモードとなり、第１車室内熱交換器を流通した冷媒が第２車室内熱交換器をバイパスして流れる。これにより、ヒートポンプ装置内の高圧側の冷媒通路総容積が小さくなるので、ヒートポンプ装置の高圧側の冷媒圧力及び温度の上昇が速くなり、暖房の立ち上がりが速くなる。よって、例えば冬季のように外気温度が低く、かつ、長時間放置されてヒートポンプ装置の高圧側の冷媒が外気温度近傍となるまで冷えている状況で暖房の立ち上がりが速くなる。
【００１３】
その後、通常暖房モードとなるので、第１車室内熱交換器を流通した冷媒が第２車室内熱交換器を流れる。これにより、第１及び第２車室内熱交換器によって外部空気を加熱することができるので、高い暖房能力が得られる。
【００１４】
第２の発明は、冷媒を圧縮する圧縮機と、車室内に配設される第１車室内熱交換器及び第２車室内熱交換器と、車室外に配設される車室外熱交換器とを含むヒートポンプ装置と、
上記第１車室内熱交換器及び上記第２車室内熱交換器を収容するとともに、該第１車室内熱交換器及び該第２車室内熱交換器に空調用空気を送風する送風機を有し、調和空気を生成して車室に供給するように構成された車室内空調ユニットとを備えた車両用空調装置であって、
上記第１車室内熱交換器からの冷媒が流入する冷媒入口部と、上記第２車室内熱交換器に接続されて上記冷媒入口部に流入した冷媒を該第２車室内熱交換器に流入させる通常暖房用冷媒出口部と、上記冷媒入口部に流入した冷媒を、該第２車室内熱交換器をバイパスして流す暖房立ち上げ用冷媒出口部とを有するとともに、上記冷媒入口部に流入した冷媒を上記通常暖房用冷媒出口部に流す通常暖房モードと、上記冷媒入口部に流入した冷媒を上記暖房立ち上げ用冷媒出口部に流す暖房立ち上げモードとに切り替えるように構成された流路切替装置と、
上記流路切替装置を制御する空調制御装置とを備え、
上記空調制御装置は、上記ヒートポンプ装置の高圧側の冷媒温度が所定の低温度以下であるか否かを推定し、所定の低温度以下であると推定される場合に上記流路切替装置を上記暖房立ち上げモードとする一方、所定の低温度よりも高いと推定される場合に上記流路切替装置を上記通常暖房モードとするように構成されていることを特徴とするものである。
【００１５】
この構成によれば、例えば冬季のように外気温度が低く、かつ、長時間放置されてヒートポンプ装置の高圧側の冷媒が外気温度近傍となるまで冷えている状況では、高圧側の冷媒温度が所定の低温度以下であると推定される。この場合は、流路切替装置が暖房立ち上げモードとなり、第１車室内熱交換器を流通した冷媒が第２車室内熱交換器をバイパスして流れる。これにより、ヒートポンプ装置内の高圧側の冷媒通路総容積が小さくなるので、ヒートポンプ装置の高圧側の冷媒圧力及び温度の上昇が速くなり、暖房の立ち上がりが速くなる。
【００１６】
一方、暖房立ち上がりから所定時間が経過した状況では、高圧側の冷媒温度が所定の低温度よりも高いと推定される。この場合は、流路切替装置が通常暖房モードとなり、第１車室内熱交換器を流通した冷媒が第２車室内熱交換器を流れる。これにより、第１及び第２車室内熱交換器によって外部空気を加熱することができるので、高い暖房能力が得られる。
【００１７】
第３の発明は、第１または２の発明において、
上記流路切替装置は、上記冷媒入口部に流入した冷媒を上記通常暖房用冷媒出口部及び上記暖房立ち上げ用冷媒出口部に流す中間モードにも切り替えられるように構成され、
上記空調制御装置は、上記流路切替装置を、上記暖房立ち上げモードから上記通常暖房モードに切り替える前に、上記暖房立ち上げモードから上記中間モードに切り替え、その後、上記中間モードから上記通常暖房モードに切り替えるように構成されていることを特徴とするものである。
【００１８】
この構成によれば、暖房立ち上げモードから通常暖房モードに切り替える前に、一旦、中間モードに切り替えることで、一部の冷媒が第２車室内熱交換器を流れ、他の冷媒が第２熱交換器をバイパスして流れる。その後、通常暖房モードに切り替えられて、全ての冷媒が第２車室内熱交換器を流れるようになる。よって、冷媒の流れの変化が緩やかになるので、冷媒の流れの急激な変化によって起こる暖房能力低下を回避することが可能になる。
【００１９】
第４の発明は、第３の発明において、上記第１車室内熱交換器を通過した外部空気の温度を検出する第１温度センサを備え、
上記空調制御装置は、上記第１温度センサにより検出された温度の変化が所定範囲内となるように、上記第２車室内熱交換器の冷媒流通量を制御するように構成されていることを特徴とするものである。
【００２０】
この構成によれば、流路切替装置のモードを切り替える際に、第１車室内熱交換器を通過した外部空気の温度が大きく低下しないように、第１及び第２車室内熱交換器の冷媒流量を調整することが可能になる。
【００２１】
第５の発明は、第３の発明において、上記第１車室内熱交換器を流通する冷媒の圧力を検出する第１圧力センサを備え、
上記空調制御装置は、上記第１圧力センサにより検出された圧力の変化が所定範囲内となるように、上記第２車室内熱交換器の冷媒流通量を制御するように構成されていることを特徴とするものである。
【００２２】
この構成によれば、流路切替装置のモードを切り替える際に、第１車室内熱交換器を流通する冷媒圧力が大きく変動しないように、第１及び第２車室内熱交換器の冷媒流量を調整することが可能になるので、温度変化が緩やかなる。
【００２３】
第６の発明は、第３の発明において、
車室内へ吹き出す調和空気の温度を検出する吹出空気温度センサを備え、
上記空調制御装置は、上記吹出空気温度センサにより検出された温度の変化が所定範囲内となるように、上記第２車室内熱交換器の冷媒流通量を制御するように構成されていることを特徴とするものである。
【００２４】
この構成によれば、流路切替装置のモードを切り替える際に、車室内に吹き出す空気温度が大きく低下しないように、第１及び第２車室内熱交換器の冷媒流量を調整することが可能になる。
【００２５】
第７の発明は、第３の発明において、上記第２車室内熱交換器を通過した外部空気の温度を検出する第２温度センサを備え、
上記空調制御装置は、上記第２温度センサにより検出された温度が所定温度以上であるか否かを判定し、所定温度以上であると判定した場合に、上記中間モードにある上記流路切替装置を上記通常暖房モードに切り替えるように構成されていることを特徴とするものである。
【００２６】
この構成によれば、第２車室内熱交換器を通過した外部空気の温度に基づいて流路切替装置のモードを切り替えるようにしたので、中間モードから通常暖房モードに切り替える際、車室内に吹き出す調和空気の温度低下を抑制することが可能になる。
【００２７】
第８の発明は、第３の発明において、
上記第２車室内熱交換器を流通する冷媒の圧力を検出する第２圧力センサを備え、
上記空調制御装置は、上記第２圧力センサにより検出された圧力が所定圧力以上であるか否かを判定し、所定圧力以上であると判定した場合に、上記中間モードにある上記流路切替装置を上記通常暖房モードに切り替えるように構成されていることを特徴とするものである。
【００２８】
この構成によれば、第２車室内熱交換器を流通する冷媒の圧力に基づいて流路切替装置のモードを切り替えるようにしたので、中間モードから通常暖房モードに切り替える際、車室内に吹き出す調和空気の温度低下を抑制することが可能になる。
【００２９】
第９の発明は、第３の発明において、車室内へ吹き出す調和空気の温度を検出する吹出空気温度センサを備え、
上記空調制御装置は、上記吹出空気温度センサにより検出された吹出空気温度が所定温度以上であるか否かを判定し、所定温度以上であると判定した場合に、上記中間モードにある上記流路切替装置を上記通常暖房モードに切り替えるように構成されていることを特徴とするものである。
【００３０】
この構成によれば、第２車室内熱交換器を流通する冷媒の圧力に基づいて流路切替装置のモードを切り替えるようにしたので、中間モードから通常暖房モードに切り替える際、車室内に吹き出す調和空気の温度低下を抑制することが可能になる。
【発明の効果】
【００３１】
第１の発明によれば、暖房開始時に、冷媒を、第２車室内熱交換器をバイパスして流すようにしたので、暖房の立ち上がりを速くすることができる。そして、暖房立ち上げモードの後に、冷媒を、第１及び第２車室内熱交換器を流すようにしたので、高い暖房性能を得ることができる。従って、本発明によれば、乗員の快適性を向上させることができる。
【００３２】
第２の発明によれば、ヒートポンプ装置の高圧側の冷媒温度が所定の低温度以下と推定される場合に、冷媒を、第２車室内熱交換器をバイパスして流すようにしたので、暖房の立ち上がりを速くすることができる。また、ヒートポンプ装置の高圧側の冷媒温度が所定の低温度よりも高いと推定される場合に、冷媒を、第１及び第２車室内熱交換器を流すようにしたので、高い暖房性能を得ることができる。従って、本発明によれば、乗員の快適性を向上させることができる。
【００３３】
第３の発明によれば、暖房立ち上げモードから通常暖房モードに切り替える前に、一部の冷媒を第２車室内熱交換器に流しながら、他の冷媒を、第２車室内熱交換器をバイパスさせて流すことができる。これにより、冷媒の流れの変化を緩やかにできるので、高い暖房能力を得ることができる。
【００３４】
第４の発明によれば、第１車室内熱交換器を通過した外部空気の温度を大きく低下させることなく、第１及び第２車室内熱交換器の冷媒流量を調整することができるので快適性をより一層向上させることができる。
【００３５】
第５の発明によれば、第１車室内熱交換器を流通する冷媒圧力が大きく変動しないように、第１及び第２車室内熱交換器の冷媒流量を調整することができるので快適性をより一層向上させることができる。
【００３６】
第６の発明によれば、車室内に吹き出す調和空気の温度を大きく低下させることなく、第１及び第２車室内熱交換器の冷媒流量を調整することができるので快適性をより一層向上させることができる。
【００３７】
第７〜９の発明によれば、流路切替装置を中間モードから通常暖房モードに切り替える際に、車室内に吹き出す調和空気の温度低下を抑制することができるので、快適性をより一層向上させることができる。
【図面の簡単な説明】
【００３８】
【図１】実施形態１にかかる車両用空調装置の概略構成図である。
【図２】車両用空調装置のブロック図である。
【図３】下流側車室内熱交換器を空気流れ方向上流側から見た斜視図である。
【図４】車室外熱交換器の正面図である。
【図５】暖房立ち上げ運転モードにある場合の図１相当図である。
【図６】暖房運転モードにある場合の図１相当図である。
【図７】中間運転モードにある場合の図１相当図である。
【図８】冷房運転モードにある場合の図１相当図である。
【図９】除霜運転モードにある場合の図１相当図である。
【図１０】空調制御装置による制御手順を示すフローチャートである。
【図１１】実施形態１にかかる暖房サブルーチン制御手順を示すフローチャートである。
【図１２】実施形態２にかかる暖房サブルーチン制御手順を示すフローチャートである。
【発明を実施するための形態】
【００３９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４０】
（実施形態１）
図１は、本発明の実施形態１にかかる車両用空調装置１の概略構成図である。車両用空調装置１が搭載された車両は、走行用蓄電池及び走行用モーターを備えた電気自動車である。
【００４１】
車両用空調装置１は、ヒートポンプ装置２０と、車室内空調ユニット２１と、ヒートポンプ装置２０及び車室内空調ユニット２１を制御する空調制御装置２２（図２に示す）とを備えている。
【００４２】
ヒートポンプ装置２０は、冷媒を圧縮する電動コンプレッサ３０と、車室内に配設される下流側車室内熱交換器（第１車室内熱交換器）３１と、車室内において下流側車室内熱交換器３１の空気流れ方向上流側に配設される上流側車室内熱交換器（第２車室内熱交換器）３２と、車室外に配設される車室外熱交換器３３と、アキュムレータ３４と、これら機器３０〜３４を接続する第１〜第４主冷媒配管４０〜４３と、第１〜第３分岐冷媒配管４４〜４６とを備えている。
【００４３】
電動コンプレッサ３０は、従来から周知の車載用のものであり、電動モーターによって駆動される。電動コンプレッサ３０の回転数を変更することによって単位時間当たりの吐出量を変化させることができる。電動コンプレッサ３０は、空調制御装置２２に接続されてＯＮ及びＯＦＦの切り替えと、回転数が制御されるようになっている。電動コンプレッサ３０には、走行用蓄電池から電力が供給される。
【００４４】
下流側車室内熱交換器３１は、図３に示すように、上側ヘッダタンク４７と、下側ヘッダタンク４８と、コア４９とを備えている。コア４９は、上下方向に延びるチューブ４９ａとフィン４９ｂとを交互に左右方向（図３の左右方向）に配列して一体化したものであり、空調用空気がチューブ４９ａ間を通過するようになっている。空調用空気の流れ方向を白抜きの矢印で示している。チューブ４９ａは、空気流れ方向に２列並んでいる。
【００４５】
空気流れ上流側のチューブ４９ａ及び下流側のチューブ４９ａの上端部は、上側ヘッダタンク４７に接続されて連通している。上側ヘッダタンク４７の内部には、該上側ヘッダタンク４７を空気流れ方向上流側と下流側とに仕切る第１仕切部４７ａが設けられている。第１仕切部４７ａよりも空気流れ方向上流側の空間が上流側のチューブ４９ａの上端に連通し、第１仕切部４７ａよりも空気流れ方向下流側の空間が下流側のチューブ４９ａの上端に連通している。
【００４６】
また、上側ヘッダタンク４７の内部には、該上側ヘッダタンク４７を左右方向に仕切る第２仕切部４７ｂが設けられている。第１仕切部４７ａにおける第２仕切部４７ｂよりも右側には、連通孔４７ｅが形成されている。
【００４７】
上側ヘッダタンク４７の左側面の空気流れ下流側には冷媒の流入口４７ｃが形成され、また、上流側には冷媒の流出口４７ｄが形成されている。
【００４８】
下側ヘッダタンク４８の内部には、上側ヘッダタンク４７の第１仕切部４７ａと同様に、空気流れ方向上流側と下流側とに仕切る仕切部４８ａが設けられている。仕切部４８ａよりも空気流れ方向上流側の空間が上流側のチューブ４９ａの下端に連通し、仕切部４８ａよりも空気流れ方向下流側の空間が下流側のチューブ４９ａの下端に連通している。
【００４９】
この下流側車室内熱交換器３１は、上記のように構成したことで合計４つのパスを有している。すなわち、流入口４７ｃから流入した冷媒は、まず、上側ヘッダタンク４７の第１仕切部４７ａよりも空気流れ方向下流側で、かつ、第２仕切部４７ｂよりも左側の空間Ｒ１に流入し、空間Ｒ１に連通するチューブ４９ａ内を下へ向かって流れる。
【００５０】
その後、下側ヘッダタンク４８の仕切部４８ａよりも空気流れ方向下流側の空間Ｓ１に流入して右側へ流れてチューブ４９ａ内を上へ向かって流れた後、上側ヘッダタンク４７の第１仕切部４７ａよりも空気流れ方向下流側で、かつ、第２仕切部４７ｂよりも右側の空間Ｒ２に流入する。
【００５１】
次いで、空間Ｒ２内の冷媒は第１仕切部４７ａの連通孔４７ｅを通り、上側ヘッダタンク４７の第１仕切部４７ａよりも空気流れ方向上流側で、かつ、第２仕切部４７ｂよりも右側の空間Ｒ３に流入し、空間Ｒ３に連通するチューブ４９ａ内を下へ向かって流れる。
【００５２】
しかる後、下側ヘッダタンク４８の仕切部４８ａよりも空気流れ方向上流側の空間Ｓ２に流入して左側へ流れてチューブ４９ａ内を上へ向かって流れた後、上側ヘッダタンク４７の第１仕切部４７ａよりも空気流れ方向上流側で、かつ、第２仕切部４７ｂよりも左側の空間Ｒ４に流入し、流出口４７ｄから外部へ流出する。
【００５３】
上流側車室内熱交換器３２は、大きさが下流側車室内熱交換器３１よりも大きいだけであり、下流側車室内熱交換器３１と同様な構造を有しているので詳細な説明は省略する。
【００５４】
車室外熱交換器３３は、車両の前部に設けられたモータルーム（エンジン駆動車両におけるエンジンルームに相当）において該モータルームの前端近傍に配設され、走行風が当たるようになっている。車室外熱交換器３３は、図４に示すように、上側ヘッダタンク５７と、下側ヘッダタンク５８と、コア５９とを備えている。コア５９は、上下方向に延びるチューブ５９ａとフィン５９ｂとを交互に左右方向に配列して一体化したものであり、空調用空気がチューブ５９ａ間を通過するようになっている。
【００５５】
チューブ５９ａの上端部は上側ヘッダタンク５７に接続されて連通している。また、チューブ５９ａの下端部は下側ヘッダタンク５８に接続されて連通している。
【００５６】
下側ヘッダタンク５８の内部には、該下側ヘッダタンク５８の内部を左右方向に仕切る仕切部５８ａが設けられている。下側ヘッダタンク５８の左側には冷媒が流入する流入管５８ｂが設けられ、右側には冷媒が流出する流出管５８ｃが設けられている。
【００５７】
従って、この車室外熱交換器３３では、流入管５８ｂから流入した冷媒は、下側ヘッダタンク５８の仕切部５８ａよりも左側の空間Ｔ１に流入した後、該空間Ｔ１に連通するチューブ５９ａを上へ向かって流れた後、上側ヘッダタンク５７に流入して右側へ流れてから、チューブ５９ａを下へ向かって流れる。その後、下側ヘッダタンク５８の仕切部５８ａよりも右側の空間Ｔ２に流入した後、流出管５８ｃから外部へ流出する。
【００５８】
図１に示すように、車両にはクーリングファン３７が設けられている。このクーリングファン３７は、ファンモーター３８によって駆動され、車室外熱交換器３３に空気を送風するように構成されている。ファンモーター３８は、空調制御装置２２に接続されてＯＮ及びＯＦＦの切り替えと、回転数が制御されるようになっている。ファンモーター３８にも走行用蓄電池から電力が供給される。尚、クーリングファン３７は、例えば走行用インバーター等を冷却するためのラジエータに空気を送風することもできるものであり、空調の要求時以外にも作動させることが可能である。
【００５９】
第１主冷媒配管４０は、電動コンプレッサ３０の吐出口と下流側車室内熱交換器３１の冷媒流入口とを接続するものである。また、第２主冷媒配管４１は、下流側車室内熱交換器３１の冷媒流出口と車室外熱交換器３３の冷媒流入口とを接続するものである。第３主冷媒配管４２は、車室外熱交換器３３の冷媒流出口と上流側車室内熱交換器３２の冷媒流入口とを接続するものである。第４主冷媒配管４３は、上流側車室内熱交換器３２の冷媒流出口と電動コンプレッサ３０の吸入口とを接続するものである。
【００６０】
また、第１分岐冷媒配管４４は、第２主冷媒配管４１から分岐しており、第３主冷媒配管４２に接続されている。第２分岐冷媒配管４５は、第２主冷媒配管４１から分岐しており、第４主冷媒配管４３に接続されている。第３分岐冷媒配管４６は、第３主冷媒配管４２から分岐しており、第４主冷媒配管４３に接続されている。
【００６１】
アキュムレータ３４は、第４主冷媒配管４３の中途部において電動コンプレッサ３０の吸入口近傍に配設されている。
【００６２】
また、ヒートポンプ装置２０は、高圧側流路切替装置５０、低圧側流路切替装置５１、第１膨張弁５２、第２膨張弁５３、第１逆止弁５４及び第２逆止弁５５を備えている。
【００６３】
高圧側流路切替装置５０は、本発明の流路切替装置を構成するものであり、空調制御装置２２によって制御される電動タイプの三方弁である。高圧側流路切替装置５０の配設位置は、第２主冷媒配管４１の中途部であり、第１分岐冷媒配管４４が接続されている。
【００６４】
高圧側流路切替装置５０は、第２主冷媒配管４１を介して下流側車室内熱交換器３１に接続されて該下流側車室内熱交換器３１からの冷媒が流入する冷媒入口部５０ａと、第１分岐冷媒配管４４を介して上流側車室内熱交換器３２に接続されて冷媒入口部５０ａに流入した冷媒を該上流側車室内熱交換器３２に流入させる通常暖房用冷媒出口部５０ｂと、冷媒入口部５０ａに流入した冷媒を、該上流側車室内熱交換器３２をバイパスして流す暖房立ち上げ用冷媒出口部５０ｃとを有している。暖房立ち上げ用冷媒出口部５０ｃは、第２主冷媒配管４１を介して車室外熱交換器３３に接続されており、冷媒入口部５０ａに流入した冷媒を車室外熱交換器３３に流すことができるようになっている。
【００６５】
高圧側流路切替装置５０には、図示しないが切替弁が内蔵されている。この切替弁を作動させることにより、冷媒入口部５０ａに流入した冷媒を通常暖房用冷媒出口部５０ｂに流す通常暖房モードと、冷媒入口部５０ａに流入した冷媒を暖房立ち上げ用冷媒出口部５０ｃに流す暖房立ち上げモードと、冷媒入口部５０ａに流入した冷媒を通常暖房用冷媒出口部５０ｂ及び暖房立ち上げ用冷媒出口部５０ｃに流す中間モードとに切り替えることができるように構成されている。中間モードにおいて通常暖房用冷媒出口部５０ｂ及び暖房立ち上げ用冷媒出口部５０ｃに流す冷媒量の分配割合を任意に変更することが可能である。
【００６６】
低圧側流路切替装置５１も上記高圧側流路切替装置５０と同様な電動タイプの三方弁で構成されており、空調制御装置２２によって制御される。低圧側流路切替装置５１は、第４主冷媒配管４３の中途部に設けられており、第３分岐冷媒配管４６が接続されている。
【００６７】
尚、高圧側流路切替装置５０及び低圧側流路切替装置５１は、いずれも電動タイプの三方弁で構成したが、各出口側配管に電動弁や電磁弁を個別に設けて流路を切り替えるように構成してもよい。
【００６８】
第１膨張弁５２及び第２膨張弁５３は、電動タイプのものであり、流路を絞って冷媒を膨張させる膨張状態と、流路を開放して冷媒を膨張させずに流す非膨張状態とに切り替えられるようになっている。第１膨張弁５２及び第２膨張弁５３は空調制御装置２２によって制御される。膨張状態では、空調負荷の状態に応じて開度が設定される。
【００６９】
第１膨張弁５２は、第２主冷媒配管４１の高圧側流路切替装置５０よりも車室外熱交換器３３側に配設されている。第２膨張弁５３は、第３主冷媒配管４２の第３分岐冷媒配管４６よりも車室外熱交換器３３側に配設されている。
【００７０】
第１逆止弁５４は、第３主冷媒配管４２に配設されており、第３主冷媒配管４２の車室外熱交換器３３側から上流側車室内熱交換器３２側へ向けての冷媒を流れを許容し、逆方向への冷媒の流れを阻止するように構成されている。
【００７１】
第２逆止弁５５は、第２分岐冷媒配管４５に配設されており、第２分岐冷媒配管４５の主冷媒配管４３側から第２主冷媒配管４１側へ向けての冷媒を流れを許容し、逆方向への冷媒の流れを阻止するように構成されている。
【００７２】
また、車室内空調ユニット２１は、下流側車室内熱交換器３１及び上流側車室内熱交換器３２を収容するケーシング６０と、ケーシング６０に収容される空気加熱器６１と、エアミックスドア（温度調節ドア）６２と、エアミックスドア６２を駆動するエアミックスドアアクチュエータ６３と、吹出モード切替ドア６４と、送風機６５とを備えている。
【００７３】
送風機６５は、車室内の空気（内気）と車室外の空気（外気）との一方を選択してケーシング６０内に空調用空気として送風するためのものである。送風機６５は、シロッコファン６５ａと、シロッコファン６５ａを回転駆動する送風モーター６５ｂとを備えている。送風モーター６５ｂは、空調制御装置２２に接続されてＯＮ及びＯＦＦの切り替えと、回転数が制御されるようになっている。送風モーター６５ｂにも走行用蓄電池から電力が供給される。
【００７４】
ケーシング６０は、車室内においてインストルメントパネル（図示せず）の内部に配設されている。ケーシング６０には、デフロスタ吹出口６０ａ、ベント吹出口６０ｂ及びヒート吹出口６０ｃが形成されている。これら吹出口６０ａ〜６０ｃはそれぞれ吹出モード切替ドア６４によって開閉される。吹出モード切替ドア６４は、図示しないが、空調制御装置２２に接続されたアクチュエータによって動作するようになっている。吹出モードとしては、例えば、デフロスタ吹出口６０ａに空調風を流すデフロスタモード、ベント吹出口６０ｂに空調風を流すベントモード、ヒート吹出口６０ｃに空調風を流すヒートモード、デフロスタ吹出口６０ａ及びヒート吹出口６０ｃに空調風を流すデフ／ヒートモード、ベント吹出口６０ｂ及びヒート吹出口６０ｃに空調風を流すバイレベルモード等である。
【００７５】
ケーシング６０内に導入された空調用空気は、全量が上流側車室内熱交換器３２を通過するようになっている。
【００７６】
エアミックスドア６２は、ケーシング６０内において、上流側車室内熱交換器３２と下流側車室内熱交換器３１との間に収容されている。エアミックスドア６２は、上流側車室内熱交換器３２を通過した空気のうち、下流側車室内熱交換器３１を通過する空気量を変更することによって、上流側車室内熱交換器３２を通過した空気と、下流側車室内熱交換器３１を通過した空気との混合割合を決定して吹出空気の温度調節を行うためのものである。
【００７７】
ケーシング６０における下流側車室内熱交換器３１の下流側には、上記空気加熱器６１が収容されている。空気加熱器６１は、例えば電流を流すことによって発熱するＰＴＣ素子を用いたＰＴＣヒータで構成することができる。空気加熱器６１は空調制御装置２２に接続され、ＯＮ及びＯＦＦの切り替えと、発熱量（電力供給量）が制御されるようになっている。空気加熱器６１にも走行用蓄電池から電力が供給される。
【００７８】
さらに、車両用空調装置１は、外気温度センサ７０と、車室外熱交換器温度センサ７１と、高圧側冷媒圧力検出センサ７２（第１圧力センサ）と、上流側車室内熱交換器温度センサ（第２温度センサ）７３と、下流側車室内熱交換器温度センサ（第１温度センサ）７４と、吹出空気温度センサ７５と、上流側車室内熱交換器圧力センサ（第２圧力センサ）７７とを備えている。これらセンサ７０〜７５、７７は空調制御装置２２に接続されている。
【００７９】
外気温度センサ７０は、車室外熱交換器３３よりも空気流れ方向上流側に配設されており、車室外熱交換器３３に流入する前の外部空気の温度（外気温度ＴＧ）を検出するためのものである。車室外熱交換器温度センサ７１は、車室外熱交換器３３の空気流れ方向下流側の面に配設されており、車室外熱交換器３３の表面温度を検出するためのものである。
【００８０】
高圧側冷媒圧力検出センサ７２は、第１主冷媒配管４０における電動コンプレッサ３０の吐出口側に配設されており、ヒートポンプ装置２０の高圧側の冷媒圧力、即ち、下流側車室内熱交換器３１を流通する冷媒の圧力を検出する。
【００８１】
上流側車室内熱交換器温度センサ７３は、上流側車室内熱交換器３２の空気流れ方向下流側に配設されており、上流側車室内熱交換器３２の表面温度を検出することによって上流側車室内熱交換器３２を通過した外部空気の温度を得るためのものである。
【００８２】
下流側車室内熱交換器温度センサ７４は、下流側車室内熱交換器３１の空気流れ方向下流側に配設されており、下流側車室内熱交換器３１の表面温度を検出することによって下流側車室内熱交換器３１を通過した外部空気の温度を得るためのものである。
【００８３】
吹出空気温度センサ７５は、ケーシング６０から吹き出す吹出空気の温度、即ち、車室内へ吹き出す調和空気の温度を検出するためのものであり、車室の所定箇所に配設されている。
【００８４】
上流側車室内熱交換器圧力センサ７７は、上流側車室内熱交換器３２を流通する冷媒の圧力を検出するためのものである。
【００８５】
さらに、空調装置１には、車室内の温度（ＴＲ）を検出するための車室内温度センサ７６が設けられており、このセンサ７６も空調制御装置２２に接続されている。
【００８６】
空調制御装置２２は、例えば、乗員による設定温度や外気温、車室内温度、日射量等の情報に基づいてヒートポンプ装置２０の運転モードを設定し、送風機６５の風量（送風モーター６５ｂの回転数）やエアミックスドア６２の開度を設定するとともに、高圧側流路切替装置５０のモードも設定する。
【００８７】
そして、その設定した運転モードとなるようにヒートポンプ装置２０を制御し、さらに、設定風量や設定開度となるように送風機６５及びエアミックスドアアクチュエータ６３を制御するものであり、周知の中央演算装置やＲＯＭ、ＲＡＭ等によって構成されている。
【００８８】
また、空調の負荷に応じて電動コンプレッサ３０やファンモーター３８を制御し、また、必要に応じて空気加熱器６１も制御する。
【００８９】
空調制御装置２２は、通常のオートエアコン制御と同様に後述するメインルーチンにおいて、ヒートポンプ装置２０の運転モードの切り替え、送風機６５の風量、エアミックスドア６２の開度、吹出モードの切り替え、電動コンプレッサ３０、送風モーター６５ｂの制御を行い、例えば、ファンモーター３８は、基本的には電動コンプレッサ３０の作動中には作動するが、電動コンプレッサ３０が停止状態であっても、走行用インバーター等の冷却が必要な場合には作動する。
【００９０】
ヒートポンプ装置２０の運転モードは、暖房立ち上げ運転モード、通常暖房運転モード、中間暖房運転モード、冷房運転モード、除霜運転モードの５種類ある。
【００９１】
図５に示す暖房立ち上げ運転モードは、例えば外気温度が０℃よりも低く（極低外気時）で、かつ、車両が長時間放置された場合のように、ヒートポンプ装置２０の高圧側の冷媒温度が外気温程度まで低下していると推定される状況で選択される運転モードである。暖房立ち上げ運転モードでは、下流側車室内熱交換器３１を放熱器とし、車室外熱交換器３３を吸熱器として作用させ、上流側車室内熱交換器３２には冷媒を流さないようにする。図中、破線は冷媒の流れが無い冷媒配管を示している。
【００９２】
この暖房立ち上げ運転モードでは、高圧側流路切替装置５０を暖房立ち上げモードに切り替える。また、低圧側流路切替装置５１は、車室外熱交換器３３から流出した冷媒をアキュムレータ３４に流入させるように流路を切り替える。第１膨張弁５２は膨張状態にし、第２膨張弁５３は非膨張状態にする。
【００９３】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１を流れて高圧側流路切替装置５０の冷媒入口部５０ａに流入する。高圧側流路切替装置５０は暖房立ち上げモードになっているので、冷媒入口部５０ａに流入した冷媒は、暖房立ち上げ用冷媒出口部５０ｃから第２主冷媒配管４１を流れ、第１膨張弁５２を通過することで膨張し、車室外熱交換器３３に流入する。車室外熱交換器３３に流入した冷媒は、外部空気から吸熱して第３主冷媒配管４２、第３分岐冷媒配管４６を順に通ってアキュムレータ３４を経て電動コンプレッサ３０に吸入される。
【００９４】
この暖房立ち上げ運転モードでは、電動コンプレッサ３０から吐出された冷媒は、下流側車室内熱交換器３１を循環するが上流側車室内熱交換器３２は循環しないので、ヒートポンプ装置２０内の冷媒通路総容積が小さくなる。よって、高圧側の冷媒の温度及び圧力上昇が速くなる。
【００９５】
図６に示す通常暖房運転モードは、例えば外気温度が０℃よりも低く（極低外気時）、かつ、ヒートポンプ装置２０の高圧側の冷媒温度が外気温度よりも高い場合等のように、暖房立ち上げ運転モードが不要であると推定される状況で選択される運転モードである。
【００９６】
通常暖房運転モードでは、下流側車室内熱交換器３１及び上流側車室内熱交換器３２を放熱器とし、車室外熱交換器３３を吸熱器として作用させる。
【００９７】
すなわち、高圧側流路切替装置５０は、暖房モードに切り替える。また、低圧側流路切替装置５１は、車室外熱交換器３３から流出した冷媒をアキュムレータ３４に流入させるように流路を切り替える。第１膨張弁５２は膨張状態にし、第２膨張弁５３は非膨張状態にする。
【００９８】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１から高圧側流路切替装置５０の冷媒入口部５０ａに流入する。高圧側流路切替装置５０は暖房モードになっているので、冷媒入口部５０ａに流入した冷媒は、通常暖房用冷媒出口部５０ｂから流出する。そして、第１分岐冷媒配管４４を流れて上流側車室内熱交換器３２に流入し、上流側車室内熱交換器３２を循環する。つまり、下流側車室内熱交換器３１及び上流側車室内熱交換器３２に高温状態の冷媒が流入するので、空調用空気は、下流側車室内熱交換器３１及び上流側車室内熱交換器３２の両方によって加熱されることになり、よって、高い暖房能力が得られる。
【００９９】
上流側車室内熱交換器３２を循環した冷媒は、第４主冷媒配管４３から第２分岐冷媒配管４５を通って第２主冷媒配管４１に流入する。第２主冷媒配管４１に流入した冷媒は、第１膨張弁５２を通過することで膨張し、車室外熱交換器３３に流入する。車室外熱交換器３３に流入した冷媒は、外部空気から吸熱して第３主冷媒配管４２、第３分岐冷媒配管４６を順に通ってアキュムレータ３４を経て電動コンプレッサ３０に吸入される。
【０１００】
図７に示す中間暖房運転モードは、暖房立ち上げ運転モードによる運転が終了して通常暖房運転モードに移行する間に選択される運転モードである。
【０１０１】
中間暖房運転モードでは、下流側車室内熱交換器３１及び上流側車室内熱交換器３２を放熱器とし、車室外熱交換器３３を吸熱器として作用させる。
【０１０２】
すなわち、高圧側流路切替装置５０は、中間モードに切り替える。また、低圧側流路切替装置５１は、車室外熱交換器３３から流出した冷媒をアキュムレータ３４に流入させるように流路を切り替える。第１膨張弁５２は膨張状態にし、第２膨張弁５３は非膨張状態にする。
【０１０３】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１から高圧側流路切替装置５０の冷媒入口部５０ａに流入する。高圧側流路切替装置５０は中間モードになっているので、冷媒入口部５０ａに流入した冷媒は、通常暖房用冷媒出口部５０ｂ及び暖房立ち上げ用冷媒出口部５０ｃから流出する。
【０１０４】
通常暖房用冷媒出口部５０ｂから流出した冷媒は、第１分岐冷媒配管４４を流れて上流側車室内熱交換器３２に流入し、上流側車室内熱交換器３２を循環する。上流側車室内熱交換器３２を循環した冷媒は、第４主冷媒配管４３から第２分岐冷媒配管４５を通って第２主冷媒配管４１に流入する。
【０１０５】
一方、暖房立ち上げ用冷媒出口部５０ｃから流出した冷媒は、上流側車室内熱交換器３２を循環せずに、第２主冷媒配管４１に流入する。第２主冷媒配管４１では、第１膨張弁５２よりも上流側において、通常暖房用冷媒出口部５０ｂから流出した冷媒と、暖房立ち上げ用冷媒出口部５０ｃから流出した冷媒とが合流する。
【０１０６】
第２主冷媒配管４１で合流した冷媒は、第１膨張弁５２を通過することで膨張し、車室外熱交換器３３に流入する。車室外熱交換器３３に流入した冷媒は、外部空気から吸熱して第３主冷媒配管４２、第３分岐冷媒配管４６を順に通ってアキュムレータ３４を経て電動コンプレッサ３０に吸入される。
【０１０７】
図８に示す冷房運転モードは、例えば外気温度が２５℃よりも高い場合に選択される運転モードである。冷房運転モードでは、下流側車室内熱交換器３１を放熱器とし、上流側車室内熱交換器３２を吸熱器とし、車室外熱交換器３３を放熱器として作用させる。
【０１０８】
すなわち、高圧側流路切替装置５０は、下流側車室内熱交換器３１から流出した冷媒を上流側車室内熱交換器３２の流入口に流入しないように、第１膨張弁５２側へ流すように流路を切り替える。また、低圧側流路切替装置５１は、上流側車室内熱交換器３２から流出した冷媒をアキュムレータ３４に流入させるように流路を切り替える。第１膨張弁５２は非膨張状態にし、第２膨張弁５３は膨張状態にする。
【０１０９】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１を通って膨張することなく、車室外熱交換器３３に流入する。車室外熱交換器３３に流入した冷媒は放熱して第３主冷媒配管４２を通って第２膨張弁５３を通過することで膨張し、上流側車室内熱交換器３２に流入する。上流側車室内熱交換器３２に流入した冷媒は、上流側車室内熱交換器３２を循環して空調用空気から吸熱する。上流側車室内熱交換器３２を循環した冷媒は、第４主冷媒配管４３を通ってアキュムレータ３４を経て電動コンプレッサ３０に吸入される。
【０１１０】
図９に示す除霜運転モードは、車室外熱交換器３３に霜が付着した場合に選択される運転モードである。除霜運転モードでは、下流側車室内熱交換器３１、上流側車室内熱交換器３２及び車室外熱交換器３３を放熱器として作用させる。
【０１１１】
すなわち、高圧側流路切替装置５０は、中間暖房運転モード時と同じ状態にする。また、低圧側流路切替装置５１は、上流側車室内熱交換器３２から流出した冷媒をアキュムレータ３４に流入させるように流路を切り替える。第１膨張弁５２は非膨張状態にし、第２膨張弁５３は膨張状態にする。
【０１１２】
この状態で電動コンプレッサ３０を作動させると、電動コンプレッサ３０から吐出された高圧冷媒が第１主冷媒配管４０を流れて下流側車室内熱交換器３１に流入し、下流側車室内熱交換器３１を循環する。下流側車室内熱交換器３１を循環した冷媒は、第２主冷媒配管４１から高圧側流路切替装置５０の冷媒入口部５０ａに流入する。高圧側流路切替装置５０は中間モードになっているので、冷媒入口部５０ａに流入した冷媒は、通常暖房用冷媒出口部５０ｂ及び暖房立ち上げ用冷媒出口部５０ｃから流出する。
【０１１３】
通常暖房用冷媒出口部５０ｂから流出した冷媒は、第１分岐冷媒配管４４を流れて上流側車室内熱交換器３２に流入し、上流側車室内熱交換器３２を循環する。上流側車室内熱交換器３２を循環した冷媒は、第４主冷媒配管４３から第２分岐冷媒配管４５を通って第２主冷媒配管４１に流入する。
【０１１４】
一方、暖房立ち上げ用冷媒出口部５０ｃから流出した冷媒は、第２主冷媒配管４１に流入する。第２主冷媒配管４１では、通常暖房用冷媒出口部５０ｂから流出した冷媒と、暖房立ち上げ用冷媒出口部５０ｃから流出した冷媒とが合流する。
【０１１５】
第２主冷媒配管４１で合流した冷媒は、第１膨張弁５２を通過して膨張せずに車室外熱交換器３３に流入する。車室外熱交換器３３に流入した冷媒は放熱し、これにより、車室外熱交換器３３の霜が溶ける。その後、冷媒は第３主冷媒配管４２、第３分岐冷媒配管４６を順に通ってアキュムレータ３４を経て電動コンプレッサ３０に吸入される。
【０１１６】
暖房立ち上げ運転モード、通常暖房運転モード、中間暖房運転モード、冷房運転モード、除霜運転モードのいずれの運転モードであっても、下流側車室内熱交換器３１は放熱器として作用する。
【０１１７】
また、いずれの運転モードであっても、車室外熱交換器３３に対して冷媒を流入させる冷媒配管は第２主冷媒配管４１であり、また、車室外熱交換器３３から冷媒を流出させる冷媒配管は第３主冷媒配管４２である。従って、車室外熱交換器３３では、常に同一方向に冷媒が流れることなり、冷媒が逆方向にも流れる構成のヒートポンプ装置と比較した場合に、冷媒の分流性について同方向の分流性をのみを考慮した車室外熱交換器３３とすればよく、車室外熱交換器３３の熱交換性能を比較的容易に高めることができる。
【０１１８】
また、いずれの運転モードであっても、下流側車室内熱交換器３１の空気流れ方向下流側のチューブ４９ａに冷媒を流通させた後、上流側のチューブ４９ａに冷媒を流通させてから排出するようにできる。これにより、下流側車室内熱交換器３１の冷媒の流れを外部空気の流れ方向と対向させる、対向流配置となるように下流側車室内熱交換器３１を配置することができる。また、いずれの運転モードであっても、同様に、上流側車室内熱交換器３２の空気流れ方向下流側のチューブ（図示せず）に冷媒を流通させた後、上流側のチューブ（図示せず）に冷媒を流通させてから排出するようにできるので、上流側車室内熱交換器３２も対向流配置が可能となる。
【０１１９】
下流側車室内熱交換器３１を対向流配置とすることで、特に通常暖房モードにおいてより高温の冷媒が下流側車室内熱交換器３１における空気流れ方向下流側を流れることになるので、効率よく暖房を行うことができ、暖房性能が向上する。
【０１２０】
また、上流側車室内熱交換器３２を対向流配置とすることで、特に冷房モードにおいてより低温の冷媒が上流側車室内熱交換器３２における空気流れ方向下流側を流れることになるので、効率よく冷房を行うことができ、冷房性能が向上する。
【０１２１】
図２に示すように、空調制御装置２２は、車室外熱交換器３３に霜が付着しているか否かを判定する着霜判定部２２ａを有している。着霜判定部２２ａは、外気温度センサ７０で検出された外気温度（ＴＧ）から、車室外熱交換器温度センサ７１で検出された車室外熱交換器７１の表面温度を差し引いて、その値が例えば２０（℃）よりも大きな値である場合には、着霜していると判定する。すなわち、車室外熱交換器３３に霜が付着していると、車室外熱交換器３３において冷媒が吸熱できず、冷媒温度が上昇しないことを利用して着霜判定を行っている。従って、上記の２０という値は、車室外熱交換器３３が着霜しているか否かを判定できる値であればよく、他の値であってもよい。
【０１２２】
次に、図１０〜図１２に基づいて空調制御装置２２による制御手順を説明する。図１０はメインルーチンを示すものである。スタート後のステップＳＡ１では外気温度センサ７０で検出された外気温度（ＴＧ）を読み込む。ステップＳＡ１に続くステップＳＡ２では、外気温度（ＴＧ）が０℃よりも低いか、０℃以上であるか判定する。
【０１２３】
ステップＳＡ２で外気温度（ＴＧ）が０℃よりも低いと判定された場合には、ステップＳＡ３に進み、図１１に示す暖房サブルーチン制御を行い、メインルーチンのエンドに進む。暖房サブルーチン制御では、車室内空調ユニット２１の吹出モードは主にヒートモードが選択される。また、吹出空気の温度が目標温度となるように、エアミックスドア６２を動作させる。
【０１２４】
ステップＳＡ２で外気温度（ＴＧ）が０℃以上であると判定された場合には、ステップＳＡ４に進み、ヒートポンプ装置２０を冷房運転モードに切り替えてメインルーチンのエンドに進む。
【０１２５】
また、車室外熱交換器３３に霜が付着している場合には、除霜運転モードを選択する。
【０１２６】
図１１に示すフローチャートに示す暖房サブルーチン制御について説明する。スタート後のステップＳＢ１では、外気温度センサ７０で検出された外気温度（ＴＧ）及び車室内温度センサ７６で検出された車室内温度（ＴＲ）を読み込む。
【０１２７】
ステップＳＢ１に続くステップＳＢ２では、外気温度（ＴＧ）または車室内温度（ＴＲ）が０℃よりも低いか否かを判定する。ステップＳＢ２でＮＯと判定されて外気温度（ＴＧ）または車室内温度（ＴＲ）が０℃以上である場合には、ステップＳＢ３に進み、ヒートポンプ装置２０の運転モードを暖房立ち上げ運転モードとする。
【０１２８】
その後、ステップＳＢ４に進み、吹出空気温度センサ７５で検出された吹出温度が３０℃よりも高いか否かを判定する。ステップＳＢ４でＮＯと判定されて吹出温度が３０℃以下であれば、吹出温度が３０℃よりも高くなるまでステップＳＢ４の判定を繰り返し、この間、ヒートポンプ装置２０は暖房立ち上げ運転モードで運転する。
【０１２９】
ステップＳＢ４でＹＥＳと判定されて吹出温度が３０℃よりも高くなれば、ステップＳＢ５に進み、ヒートポンプ装置２０の運転モードを通常暖房運転モードとする。
【０１３０】
空調制御装置２２は、ステップＳＢ２、ＳＢ４においてヒートポンプ装置２０の高圧側の冷媒温度が所定の低温度以下であるか否かを推定している。すなわち、ヒートポンプ装置２０の高圧側の冷媒温度が所定の低温度以下であれば、吹出温度が低くなり、この実施形態における所定の低温度とは、吹出空気の温度が３０℃となる温度である。吹出温度が３０℃よりも高くなれば、ヒートポンプ装置２０の高圧側の冷媒温度が所定の低温度よりも高いと推定する（ステップＳＢ４でＹＥＳ）。一方、吹出温度が３０℃以下であるときは、ヒートポンプ装置２０の高圧側の冷媒温度が所定の低温度以下であると推定する（ステップＳＢ４でＮＯ）。
【０１３１】
つまり、空調制御装置２２は、ヒートポンプ装置２０の高圧側の冷媒温度が所定の低温度以下であると推定される場合に高圧側流路切替装置５０を暖房立ち上げモードとする一方、所定の低温度よりも高いと推定される場合に高圧側流路切替装置５０を通常暖房モードとするように構成されている。
【０１３２】
ステップＳＢ２でＹＥＳと判定されて外気温度（ＴＧ）または車室内温度（ＴＲ）が０℃よりも低い場合には、ステップＳＢ６に進み、ヒートポンプ装置２０の運転モードを暖房立ち上げ運転モードとする。
【０１３３】
その後、ステップＳＢ７に進み、吹出空気温度センサ７５で検出された吹出温度が３０℃よりも高いか否かを判定する。ステップＳＢ７でＮＯと判定されて吹出温度が３０℃以下であれば、吹出温度が３０℃よりも高くなるまでステップＳＢ７の判定を繰り返し、この間、ヒートポンプ装置２０は暖房立ち上げ運転モードで運転する。
【０１３４】
ステップＳＢ７でＹＥＳと判定されて吹出温度が３０℃よりも高くなれば、ステップＳＢ８に進み、車室内温度（ＴＲ）を読み込む。ステップＳＢ８に続くステップＳＢ９では、車室内温度（ＴＲ）が２０℃よりも低いか否かを判定する。車室内温度（ＴＲ）が２０℃以上であれば、ステップＳＢ５に進み、ヒートポンプ装置２０の運転モードを通常暖房運転モードとする。
【０１３５】
空調制御装置２２は、ステップＳＢ７〜ＳＢ９において、ヒートポンプ装置２０の高圧側の冷媒温度が所定の低温度以下であるか否かを推定している。
【０１３６】
ステップＳＢ９で車室内温度（ＴＲ）が２０℃よりも低い場合には、ステップＳＢ１０に進み、ヒートポンプ装置２０の運転モードを中間暖房運転モードとする。その後、ステップＳＢ１１に進み、上流側車室内熱交換器温度センサ７３で検出された上流側車室内熱交換器３２の表面温度（上流側車室内熱交換器３２を通過した外部空気温度に相当）が５０℃よりも高いか否かを判定する。ステップＳＢ１１でＮＯと判定されて上流側車室内熱交換器３２の表面温度が５０℃以下である場合には、上流側車室内熱交換器３２の表面温度が５０℃よりも高くなるまでステップＳＢ１１の判定を繰り返し、この間、ヒートポンプ装置２０は中間暖房運転モードで運転する。
【０１３７】
ステップＳＢ１１でＹＥＳと判定されて上流側車室内熱交換器３２の表面温度が５０℃よりも高くなると、ステップＳＢ５に進み、ヒートポンプ装置２０の運転モードを通常暖房運転モードとする。
【０１３８】
つまり、空調制御装置２２は、高圧側流路切替装置５０を、暖房立ち上げモードから通常暖房モードに切り替える前に、暖房立ち上げモードから中間モードに切り替え、その後、中間モードから通常暖房モードに切り替えるように構成されている。
【０１３９】
暖房運転モード中に着霜判定部２２ａによって車室外熱交換器３３に霜が付着されていると判定された場合には、ヒートポンプ装置２０の運転モードは除霜運転モードに切り替える。除霜が終了したら暖房運転モードに切り替える。
【０１４０】
以上説明したように、この実施形態１によれば、例えば冬季のように外気温度が低く、かつ、長時間放置されてヒートポンプ装置２２の高圧側の冷媒が外気温度近傍となるまで冷えている状況では、高圧側の冷媒温度が所定の低温度以下であると推定される。この場合は、高圧側流路切替装置５０が暖房立ち上げモードとなり、下流側車室内熱交換器３１を流通した冷媒が上流側車室内熱交換器３２をバイパスして流れる。これにより、ヒートポンプ装置２０の高圧側の冷媒圧力及び温度の上昇が速くなり、暖房の立ち上がりが速くなる。
【０１４１】
一方、暖房立ち上げ運転モードが開示されてから所定時間が経過した状況では、高圧側の冷媒温度が所定の低温度よりも高いと推定される。この場合は、高圧側流路切替装置５０が通常暖房モードとなり、下流側車室内熱交換器３１を流通した冷媒が上流側車室内熱交換器３２を流れる。これにより、下流側及び上流側車室内熱交換器３１，３２によって外部空気を加熱することができるので、高い暖房能力が得られる。従って、本実施形態によれば、乗員の快適性を向上させることができる。
【０１４２】
また、中間暖房モードを備えているので、暖房立ち上げモードから通常暖房モードに切り替える前に、一部の冷媒を上流側車室内熱交換器３２に流しながら、他の冷媒を上流側熱交換器３２以外に流すことができる。これにより、冷媒の流れの変化を緩やかにできるので、高い暖房能力を得ることができる。
【０１４３】
また、空調制御装置２２は、中間暖房モード時において、下流側車室内熱交換器温度センサ７４により検出された温度の変化が所定範囲内となるように、下流側車室内熱交換器３１の冷媒流通量を制御するようにしてもよい。すなわち、この実施形態の高圧側流路切替装置５０では、下流側車室内熱交換器３１の冷媒流通量と、上流側車室内熱交換器３２の冷媒流通量と任意に変更することができるものであり、下流側車室内熱交換器３１の表面温度が例えば５０℃よりも高くなるように、下流側車室内熱交換器３１の冷媒流通量を制御する。これにより、下流側車室内熱交換器３１を通過した外部空気の温度を大きく低下させることなく、下流側及び上流側車室内熱交換器３１，３２の冷媒流量を調整することができるので快適性をより一層向上させることができる。
【０１４４】
また、空調制御装置２２は、中間暖房モード時において、下流側車室内熱交換器３１を流通する冷媒の圧力を高圧側冷媒圧力検出センサ７２により検出し、高圧側冷媒圧力検出センサ７２により検出された圧力の変化が所定範囲内となるように、上流側車室内熱交換器３２の冷媒流通量を制御するようにしてもよい。すなわち、下流側車室内熱交換器３１を流通する冷媒の圧力は例えば１ＭＰａ以上となるように、下流側車室内熱交換器３１の冷媒流通量を制御する。これにより、下流側車室内熱交換器３１を通過した外部空気の温度を大きく低下させることなく、下流側及び上流側車室内熱交換器３１，３２の冷媒流量を調整することができるので快適性をより一層向上させることができる。
【０１４５】
また、空調制御装置２２は、中間暖房モード時において、吹出空気温度センサ７５により検出された温度の変化が所定範囲内となるように、上流側車室内熱交換器３２の冷媒流通量を制御するようにしてもよい。すなわち、吹出空気温度センサ７５で検出された温度が例えば３０℃以上となるように、下流側車室内熱交換器３１の冷媒流通量を制御する。これにより、下流側車室内熱交換器３１を通過した外部空気の温度を大きく低下させることなく、下流側及び上流側車室内熱交換器３１，３２の冷媒流量を調整することができるので快適性をより一層向上させることができる。
【０１４６】
また、空調制御装置２２は、中間暖房モード時において、上流側車室内熱交換器温度センサ７３により検出された温度が所定温度以上であるか否かを判定し、所定温度以上であると判定した場合に、中間モードにある高圧側流路切替装置５０を通常暖房モードに切り替えるように構成してもよい。すなわち、上流側車室内熱交換器温度センサ７３により検出された温度が例えば５０℃以上である場合には、高圧側の冷媒の温度及び圧力が十分に上昇していると推定することができ、この場合に通常暖房モードに切り替えることで暖房能力を高めることができる。
【０１４７】
また、空調制御装置２２は、中間暖房モード時において、上流側車室内熱交換器圧力センサ７７により検出された圧力が所定圧力以上であるか否かを判定し、所定圧力以上であると判定した場合に、中間モードにある高圧側流路切替装置５０を通常暖房モードに切り替えるように構成してもよい。すなわち、上流側車室内熱交換器３２を流通する冷媒の圧力が例えば１ＭＰａ以上である場合には、高圧側の冷媒の圧力が十分に上昇していると推定することができ、この場合に通常暖房モードに切り替えることで暖房能力を高めることができる。
【０１４８】
また、空調制御装置２２は、中間暖房モード時において、吹出空気温度センサ７５により検出された吹出空気温度が所定温度以上であるか否かを判定し、所定温度以上であると判定した場合に、中間モードにある流路切替装置を上記通常暖房モードに切り替えるように構成してもよい。すなわち、吹出空気温度センサ７５により検出された吹出空気温度が例えば３０℃以上である場合には、高圧側の冷媒の圧力が十分に上昇していると推定することができ、この場合に通常暖房モードに切り替えることで暖房能力を高めることができる。
【０１４９】
また、電動コンプレッサ３０の回転数を検出し、この電動コンプレッサ３０の回転数に基づいて高圧側の冷媒温度及び圧力が所定以上であると推定される場合に、暖房立ち上げ運転モードから通常暖房運転モードに切り替えたり、暖房立ち上げ運転モードから中間暖房モード、中間暖房運転モードから通常暖房運転モードに切り替えるようにしてもよい。
【０１５０】
また、図１１に示すフローチャートのステップＳＢ４，ＳＢ７では、吹出空気温度（Ｔ）を判定するようにしているが、これに代えて、下流側車室内熱交換器温度センサ７４で検出された温度が例えば５０℃よりも高いか否か判定するようにしてもよいし、高圧側冷媒圧力検出センサ７２で検出された冷媒圧力が例えば１ＭＰａよりも高いか否か判定するようにしてもよい。
【０１５１】
（実施形態２）
図１２は、本発明の実施形態２にかかる暖房サブルーチン制御手順を示すフローチャートである。実施形態２は、暖房サブルーチン制御手順が実施形態１のものと異なるだけであり、他の部分は実施形態１と同じである。以下、実施形態１と異なる部分について詳細に説明する。
【０１５２】
図１２に示すフローチャートのステップＳＣ１では、外気温度センサ７０で検出された外気温度（ＴＧ）及び車室内温度センサ７６で検出された車室内温度（ＴＲ）を読み込む。
【０１５３】
ステップＳＣ１に続くステップＳＣ２では、第１タイマーＴ１をセットしてカウントを開始させる。その後、ステップＳＣ３に進み、外気温度（ＴＧ）または車室内温度（ＴＲ）が０℃よりも低いか否かを判定する。ステップＳＣ３でＮＯと判定されて外気温度（ＴＧ）または車室内温度（ＴＲ）が０℃以上である場合には、ステップＳＣ４に進み、ヒートポンプ装置２０の運転モードを暖房立ち上げ運転モードとする。
【０１５４】
ステップＳＣ４に続くステップＳＣ５では、第１タイマーＴ１がカウントを開始してから１０秒が経過したか否かを判定する。ステップＳＣ５でＮＯと判定されて第１タイマーＴ１がカウントを開始してから１０秒を経過していない場合には、１０秒が経過するまでステップＳＣ５を繰り返す。ステップＳＣ５でＹＥＳと判定されて第１タイマーＴ１がカウントを開始してから１０秒を経過した場合には、ステップＳＣ６に進み、ヒートポンプ装置２０の運転モードを通常暖房運転モードとする。
【０１５５】
空調制御装置２２は、ステップＳＣ３、ＳＣ５においてヒートポンプ装置２０の高圧側の冷媒温度が所定の低温度以下であるか否かを推定している。すなわち、暖房立ち上げ運転モードで運転を開始してある程度の時間が経過するまでは、ヒートポンプ装置２０の高圧側の冷媒温度が所定の低温度以下であると推定し、暖房立ち上げ運転モードを継続する。一方、暖房立ち上げ運転モードで運転を開始してある程度の時間が経過すれば、ヒートポンプ装置２０の高圧側の冷媒温度が所定の低温度よりも高いと推定して通常暖房運転モードで運転する。
【０１５６】
つまり、空調制御装置２２は、ヒートポンプ装置２０の高圧側の冷媒温度が所定の低温度以下であると推定される場合に高圧側流路切替装置５０を暖房立ち上げモードとする一方、所定の低温度よりも高いと推定される場合に高圧側流路切替装置５０を通常暖房モードとするように構成されている。
【０１５７】
ステップＳＣ３でＹＥＳと判定されて外気温度（ＴＧ）または車室内温度（ＴＲ）が０℃よりも低い場合には、ステップＳＣ７に進み、ヒートポンプ装置２０の運転モードを暖房立ち上げ運転モードとする。
【０１５８】
ステップＳＣ７に続くステップＳＣ８では、第１タイマーＴ１がカウントを開始してから１０秒が経過したか否かを判定する。ステップＳＣ８でＮＯと判定されて第１タイマーＴ１がカウントを開始してから１０秒を経過していない場合には、１０秒が経過するまでステップＳＣ８を繰り返す。ステップＳＣ８でＹＥＳと判定されて第１タイマーＴ１がカウントを開始してから１０秒を経過した場合には、ステップＳＣ９に進み、車室内温度（ＴＲ）を読み込む。
【０１５９】
そして、ステップＳＣ１０に進み、車室内温度（ＴＲ）が２０℃よりも低いか否かを判定する。ステップＳＣ１０でＮＯと判定されて車室内温度（ＴＲ）が２０℃以上の場合には、ステップＳＣ６に進み、ヒートポンプ装置２０の運転モードを通常暖房運転モードとする。
【０１６０】
ステップＳＣ１０でＹＥＳと判定されて車室内温度（ＴＲ）が２０℃よりも低いの場合には、ステップＳＣ１１に進んで第２タイマーＴ２をセットしてカウントを開始させる。
【０１６１】
ステップＳＣ１１に続くステップＳＣ１２では、ヒートポンプ装置２０の運転モードを中間通常運転モードとする。その後、ステップＳＣ１３に進み、第２タイマーＴ２がカウントを開始してから５秒が経過したか否かを判定する。ステップＳＣ１３でＮＯと判定されて第２タイマーＴ２がカウントを開始してから５秒を経過していない場合には、５秒が経過するまでステップＳＣ１３を繰り返す。ステップＳＣ１３でＹＥＳと判定されて第２タイマーＴ２がカウントを開始してから５秒を経過した場合には、ステップＳＣ６に進み、ヒートポンプ装置２０の運転モードを通常暖房運転モードとする。
【０１６２】
以上説明したように、この実施形態２によれば、ヒートポンプ装置２２の高圧側の冷媒が外気温度近傍となるまで冷えている状況では、高圧側の冷媒温度が所定の低温度以下であると推定される。この場合は、高圧側流路切替装置５０が暖房立ち上げモードとなり、下流側車室内熱交換器３１を流通した冷媒が上流側車室内熱交換器３２をバイパスして流れる。これにより、ヒートポンプ装置２０の高圧側の冷媒圧力及び温度の上昇が速くなり、暖房の立ち上がりが速くなる。
【０１６３】
一方、暖房立ち上がりから所定時間が経過した状況では、高圧側の冷媒温度が所定の低温度よりも高いと推定される。この場合は、高圧側流路切替装置５０が通常暖房モードとなり、下流側車室内熱交換器３１を流通した冷媒が上流側車室内熱交換器３２を流れる。これにより、下流側及び上流側車室内熱交換器３１，３２によって外部空気を加熱することができるので、高い暖房能力が得られる。従って、本実施形態によれば、乗員の快適性を向上させることができる。
【０１６４】
また、上記実施形態１、２では、ヒートポンプ装置２０の運転モードとして冷房運転モードにも切り替えるようにしているが、これに限らず、冷房運転モードを無くしてもよい。
【０１６５】
また、ヒートポンプ装置２０の高圧側の冷媒温度が所定の低温度以下であるか否かを推定するにあたっては、高圧側の冷媒温度を検出する温度センサの出力値から推定するようにしてもよいし、高圧側の冷媒圧力を検出して推定するようにしてもよいし、暖房開始時からの経過時間に基づいて推定するようにしてもよく、推定方法は特に限定されない。
【０１６６】
また、上記実施形態１、２では、ヒートポンプ装置２０の高圧側の冷媒温度が所定の低温度以下であるか否かを推定し、所定の低温度以下であると推定される場合に高圧側流路切替装置５０を暖房立ち上げモードとする一方、所定の低温度よりも高いと推定される場合に高圧側流路切替装置５０を通常暖房モードとするようにしているが、これに限らず、例えば、暖房開始時には、高圧側の冷媒状態に関わらず、常に暖房立ち上げモードとし、その後、所定時間経過した場合や高圧側の冷媒圧力が所定圧力まで上昇した場合に、通常暖房モードとするようにしてもよい。
【０１６７】
また、上記実施形態１、２では、車両用空調装置１を電気自動車に搭載する場合について説明したが、これに限らず、例えばエンジンと走行用モーターとを備えたハイブリッド自動車に車両用空調装置１を搭載することも可能である。
【産業上の利用可能性】
【０１６８】
以上説明したように、本発明にかかる車両用空調装置は、例えば電気自動車やハイブリッド車に搭載することができる。
【符号の説明】
【０１６９】
１            車両用空調装置
２０          ヒートポンプ装置
２１          車室内空調ユニット
２２          空調制御装置
２２ａ        着霜判定部
３０          電動コンプレッサ（圧縮機）
３１          下流側車室内熱交換器（第１車室内熱交換器）
３２          上流側車室内熱交換器（第２車室内熱交換器）
３３          車室外熱交換器
４０〜４３    第１〜第４主冷媒配管
４４〜４６    第１〜第３分岐冷媒配管
５０          高圧側流路切替装置（流路切替装置）
６１          空気加熱器
６２          エアミックスドア（温度調節ドア）
６５          送風機
７０          外気温度センサ
７２          高圧側冷媒圧力検出センサ（第１圧力センサ）
７３          上流側車室内熱交換器温度センサ（第２温度センサ）
７４          下流側車室内熱交換器温度センサ（第１温度センサ）
７７          上流側車室内熱交換器圧力センサ（第２圧力センサ）
【図１】
2014024369.tif 000003
【図２】
2014024369.tif 000004
【図３】
2014024369.tif 000005
【図４】
2014024369.tif 000006
【図５】
2014024369.tif 000007
【図６】
2014024369.tif 000008
【図７】
2014024369.tif 000009
【図８】
2014024369.tif 000010
【図９】
2014024369.tif 000011
【図１０】
2014024369.tif 000012
【図１１】
2014024369.tif 000013
【図１２】
2014024369.tif 000014